【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
グルーブレス光ディスクに対して，記録波形及び記録パワーを含む複数の記録条件で試し書き信号を記録し，前記試し書き信号に基づいて推奨記録条件を決定する方法であって，
各試し書き信号の再生信号品質を求めるステップと，
各試し書き信号のトラッキングエラー信号品質を求めるステップと，
前記記録条件の中から、前記再生信号品質が所定の条件を満たし，且つ前記トラッキングエラー信号品質が記録信号によってトラッキングサーボを行うことが可能となるレベルである前記推奨記録条件を決定するステップと，
を有することを特徴とする推奨記録条件の決定方法。
【請求項２】
光ディスクに対して，記録波形及び記録パワーを含む複数種類の記録条件で試し書き信号を記録し，前記試し書き信号に基づいて推奨記録条件を決定する方法であって，
各試し書き信号の再生信号品質を求めるステップと，
各試し書き信号からトラッキングエラー信号品質を求めるステップと，
前記記録条件の中から前記再生信号品質が所定の条件を満たし，且つ前記トラッキングエラー信号品質が所定の条件を満たす推奨記録条件を決定するステップとを有し，
前記再生信号品質はｂＥＲ（bit Error Rate），ＭＬＳＥ（Maximum Likelihood Sequence Error），ｉ−ＭＬＳＥ（integrated-Maximum Likelihood Sequence Error），ジッタ及びＬ−ＳＥＡＴ（run-length-Limited Sequence Error for Adaptive Target）のうちの少なくとも１つを用いて決定されることを特徴とする推奨記録条件の決定方法。
【請求項３】
請求項１記載の推奨記録条件の決定方法であって，
前記トラッキングエラー信号品質は，ＰＰ−ＴＥＳ振幅，和信号レベルで規格化したＰＰ−ＴＥＳ振幅，ＤＰＤ−ＴＥＳ振幅，ＤＰＤ相対時間差，ＤＰＤ入力信号振幅，和信号レベルで規格化したＤＰＤ入力信号振幅，和信号レベルで規格化したＰＰ−ＴＥＳ振幅の揺らぎ量，ＤＰＤ相対時間差のアシンメトリのうちの少なくとも１つを用いて決定されることを特徴とする推奨記録条件の決定方法。
【請求項４】
光ディスクに対して，記録波形及び記録パワーを含む複数種類の記録条件で試し書き信号を記録し，前記試し書き信号に基づいて推奨記録条件を決定する方法であって，
各試し書き信号の再生信号品質を求めるステップと，
各試し書き信号からトラッキングエラー信号品質を求めるステップと，
前記記録条件の中から前記再生信号品質が所定の条件を満たし，且つ前記トラッキングエラー信号品質が所定の条件を満たす推奨記録条件を決定するステップとを有し，
前記トラッキングエラー信号品質を求めるステップは，同一記録条件で信号が記録された隣接するトラック間をトラックジャンプするステップを含み，
前記トラックジャンプした際に得られるトラッキングエラー信号からトラッキングエラー信号品質を求めることを特徴とする推奨記録条件の決定方法。
【請求項５】
光ディスクに対して，記録波形及び記録パワーを含む複数種類の記録条件で試し書き信号を記録し，前記試し書き信号に基づいて推奨記録条件を決定する方法であって，
各試し書き信号の再生信号品質を求めるステップと，
各試し書き信号からトラッキングエラー信号品質を求めるステップと，
前記記録条件の中から前記再生信号品質が所定の条件を満たし，且つ前記トラッキングエラー信号品質が所定の条件を満たす推奨記録条件を決定するステップとを有し，
前記トラッキングエラー信号品質を求めるステップは，再生スポットをトラック中心から所定量オフセットさせるステップを含み，
前記所定量オフセットさせた際に得られるトラッキングエラー信号からトラッキングエラー信号品質を取得することを特徴とする推奨記録条件の決定方法。
【請求項６】
グルーブレス光ディスクに対して，複数レベルの記録パワーで複数の試し書き信号を記録し，前記試し書き信号に基づいて最適記録パワーを決定するステップと，
前記決定した最適記録パワーで記録した記録信号からトラッキングエラー信号品質を求めるステップと，
前記トラッキングエラー信号品質が記録信号によってトラッキングサーボを行うことが可能となるレベルである場合に，前記決定した最適記録パワーを情報の記録に使用するステップと，
を有することを特徴とする記録調整方法。
【請求項７】
光ディスクに対して，複数レベルの記録パワーで試し書き信号を記録し，前記試し書き信号に基づいて最適記録パワーを決定するステップと，
前記決定した最適記録パワーで記録した記録信号からトラッキングエラー信号品質を求めるステップと，
前記トラッキングエラー信号品質が所定の条件を満たす場合に，前記決定した最適記録パワーを情報の記録に使用するステップとを有し，
前記最適記録パワーを決定するステップは，
複数レベルの記録パワーＰｗを用いて記録された各試し書き信号の再生信号振幅から変調度ｍ(Ｐｗ)を求めるステップと，
前記記録パワーＰｗと前記変調度ｍ(Ｐｗ)の積として評価値Ｐｗ×ｍ(Ｐｗ)を算出するステップと，
各前記記録パワーＰｗ近傍において，前記評価値Ｐｗ×ｍ(Ｐｗ)と前記記録パワーＰｗの関係特性を直線で近似するステップと，
各前記近似直線において前記評価値Ｐｗ×ｍ(Ｐｗ)がゼロとなる記録パワーＰｗを記録パワー閾値Ｐｔｈ(Ｐｗ)として算出するステップと，
記録パワーＰｗと記録パワー閾値Ｐｔｈ(Ｐｗ)の比が，前記光ディスクの固有のパラメータκと一致する前記記録パワーＰｗを決定するステップと，
前記決定した記録パワーＰｗに前記光ディスクに固有のパラメータρを乗じて最適記録パワーの値を得るステップを含むことを特徴とする記録調整方法。
【請求項８】
光ディスクに対して，複数レベルの記録パワーで試し書き信号を記録し，前記試し書き信号に基づいて最適記録パワーを決定するステップと，
前記決定した最適記録パワーで記録した記録信号からトラッキングエラー信号品質を求めるステップと，
前記トラッキングエラー信号品質が所定の条件を満たす場合に，前記決定した最適記録パワーを情報の記録に使用するステップと，を有し，
前記最適記録パワーを決定する方法ステップは，
複数レベルの記録パワーを用いて記録された各試し書き信号の再生信号から，長い信号の振幅中心と短い信号の振幅中心の誤差の指標であるβを求めるステップと，
前記βが前記光ディスクの固有のパラメータであるβ目標値と一致する記録パワーを前記最適記録パワーと決定するステップを含むことを特徴とする記録調整方法。
【請求項９】
グルーブレス光ディスクに対して，複数レベルの記録パワーで試し書き信号を記録し，前記試し書き信号に基づいて最適記録パワーを決定するステップと，
前記決定した最適記録パワーで記録した記録信号からトラッキングエラー信号品質を求めるステップと，
前記トラッキングエラー信号品質が所定の条件を満たす場合に，前記決定した最適記録パワーを情報の記録に使用するステップとを有し，
前記トラッキングエラー信号品質は，ＰＰ−ＴＥＳ振幅，再生信号レベルで規格化したＰＰ−ＴＥＳ振幅，ＤＰＤ−ＴＥＳ振幅，ＤＰＤ相対時間差，ＤＰＤ入力信号振幅，和信号レベルで規格化したＤＰＤ入力信号振幅，和信号レベルで規格化したＰＰ−ＴＥＳ振幅の揺らぎ量，ＤＰＤ相対時間差のアシンメトリのうちの少なくとも１つを用いて決定されることを特徴とする記録調整方法。
【請求項１０】
光ディスクに対して，複数レベルの記録パワーで試し書き信号を記録し，前記試し書き信号に基づいて最適記録パワーを決定するステップと，
前記決定した最適記録パワーで記録した記録信号からトラッキングエラー信号品質を求めるステップと，
前記トラッキングエラー信号品質が所定の条件を満たす場合に，前記決定した最適記録パワーを情報の記録に使用するステップとを有し，
前記トラッキングエラー信号品質を求めるステップは，同一記録条件で信号が記録された隣接するトラック間をトラックジャンプするステップを含み，
前記トラックジャンプした際に得られるトラッキングエラー信号からトラッキングエラー信号品質を取得することを特徴とする記録調整方法。
【請求項１１】
光ディスクに対して，複数レベルの記録パワーで試し書き信号を記録し，前記試し書き信号に基づいて最適記録パワーを決定するステップと，
前記決定した最適記録パワーで記録した記録信号からトラッキングエラー信号品質を求めるステップと，
前記トラッキングエラー信号品質が所定の条件を満たす場合に，前記決定した最適記録パワーを情報の記録に使用するステップと，を有し，
前記トラッキングエラー信号品質を求めるステップは，再生スポットをトラック中心から所定の量オフセットさせるステップを含み，
前記所定の量オフセットさせた際に得られるトラッキングエラー信号からトラッキングエラー信号品質を取得することを特徴とする記録調整方法。
【請求項１２】
請求項６記載の記録調整方法であって，
前記記録信号によってトラッキングサーボを行うことが可能となる前記トラッキングエラー信号品質のレベルは前記グルーブレス光ディスクの管理領域に記憶されていることを特徴とする記録調整方法。
【請求項１３】
グルーブレス光ディスクに対して，複数レベルの記録パワーで複数の試し書き信号を記録し，前記試し書き信号に基づいて最適記録パワーを決定する記録調整方法であって，
前記複数レベルの記録パワーを用いて記録した各信号から得られるトラッキングエラー信号からトラッキングエラー信号品質を求めるステップと，
前記トラッキングエラー信号品質が記録信号によってトラッキングサーボを行うことが可能となるレベルである記録パワーを最適記録パワーと決定するステップと，
を有することを特徴とする記録調整方法。
【請求項１４】
請求項１３記載の記録調整方法であって，
前記トラッキングエラー信号品質は，ＰＰ−ＴＥＳ振幅，再生信号レベルで規格化したＰＰ−ＴＥＳ振幅，ＤＰＤ−ＴＥＳ振幅，ＤＰＤ相対時間差，ＤＰＤ入力信号振幅，再生信号レベルで規格化したＤＰＤ入力信号振幅のうちの少なくとも一つを用いて決定されることを特徴とする記録調整方法。
【請求項１５】
光ディスクに対して，複数レベルの記録パワーで試し書き信号を記録し，前記試し書き信号に基づいて最適記録パワーを決定する記録調整方法であって，
前記複数レベルの記録パワーを用いて記録した各信号から得られるトラッキングエラー信号からトラッキングエラー信号品質を求めるステップと，
前記トラッキングエラー信号品質が所定の値となる記録パワーを最適記録パワーと決定するステップとを有し，
前記トラッキングエラー信号品質を求めるステップは，同一記録条件で信号が記録された隣接するトラック間をトラックジャンプするステップを含み，
前記トラックジャンプした際に得られるトラッキングエラー信号からトラッキングエラー信号品質を取得することを特徴とする記録調整方法。
【請求項１６】
光ディスクに対して，複数レベルの記録パワーで試し書き信号を記録し，前記試し書き信号に基づいて最適記録パワーを決定する記録調整方法であって，
前記複数レベルの記録パワーを用いて記録した各信号から得られるトラッキングエラー信号からトラッキングエラー信号品質を求めるステップと，
前記トラッキングエラー信号品質が所定の値となる記録パワーを最適記録パワーと決定するステップとを有し，
前記トラッキングエラー信号品質を求めるステップは，再生スポットをトラック中心から所定の量オフセットさせるステップを含み，
前記所定の量オフセットさせた際に得られるトラッキングエラー信号からトラッキングエラー信号品質を取得することを特徴とする記録調整方法。
【請求項１７】
請求項１３記載の記録調整方法であって，
前記記録信号によってトラッキングサーボを行うことが可能となる前記トラッキングエラー信号品質のレベルは前記グルーブレス光ディスクの管理領域に記憶されていることを特徴とする記録調整方法。
【請求項１８】
推奨記録条件が記録されている管理情報領域を有し，
前記管理情報領域に記録信号によってトラッキングサーボを行うことが可能となるレベルであるトラッキングエラー信号品質の目標値が記録され、当該目標値は前記推奨記録条件で記録した信号から得られたものであることを特徴とするグルーブレス光ディスク。
【請求項１９】
請求項１８記載のグルーブレス光ディスクであって，
前記トラッキングエラー信号品質は，ＰＰ−ＴＥＳ振幅，再生信号レベルで規格化したＰＰ−ＴＥＳ振幅，ＤＰＤ−ＴＥＳ振幅，ＤＰＤ相対時間差，ＤＰＤ入力信号振幅，再生信号レベルで規格化したＤＰＤ入力信号振幅のうちの少なくとも１つを用いて決定されることを特徴とする光ディスク。